(57)【特許請求の範囲】
【請求項１】
トップシート及び吸収体の間に位置する折り畳まれたセカンドシートを含む吸収性物品であって、
前記折り畳まれたセカンドシートは、伸長された状態において第１の面及び第２の面を有し、且つ、折り畳まれた状態において前記トップシート側に位置し、平面視にて互いに直交する第１方向及び第２方向を有する基準部と、伸長された状態において前記基準部の前記第２方向における各端部からそれぞれ延在する第１領域部及び第２領域部のうちの少なくとも一方とを含み、
前記第１領域部及び第２領域部のうちの少なくとも一方の領域部は、伸長された状態のセカンドシートにおいて、前記第１の面を基準としてセカンドシートを山折りするための折線であって、前記第１方向に延びるｐ本（ｐは、１以上の整数である。）の山折り線と、前記第１の面を基準としてセカンドシートを谷折りするための折線であって、前記第１方向に延びるｑ本（ｑは、０以上の整数である。）の谷折り線とを有し、前記ｐ本の山折り線のうちの１本が、前記第１領域部及び前記第２領域部のそれぞれの第２方向における両端部のうちの基準部側の端部に位置し、
前記折り畳まれたセカンドシートは、前記基準部と、伸長された状態のセカンドシートの前記第１領域部及び第２領域部のうちの少なくとも一方の領域部において前記山折り線の前記領域部が延在する方向側に隣接する山折り区分領域部の少なくとも１つとが、平面視にて、吸収性物品の長手方向に延びる中央軸線を幅方向に跨って延在すると共に、吸収性物品の幅方向に延びる中央軸線を長手方向に跨って延在し、
前記折り畳まれたセカンドシートは、少なくとも吸収性物品の体液吸収領域において、折り畳まれた状態のセカンドシートの対向する面同士が互いに接合されておらず、体液吸収領域以外の領域において、折り畳まれた状態のセカンドシートの対向する面同士が接合された接合部を有する、
前記吸収性物品。
【請求項２】
前記第１方向が、平面視にて吸収性物品の長手方向に一致する、請求項１に記載の吸収性物品。
【請求項３】
前記折り畳まれたセカンドシートは、伸長された状態のセカンドシートの前記第２方向における両端部が吸収性物品の厚さ方向に重ならないように折り畳まれている、請求項１又は２に記載の吸収性物品。
【請求項４】
前記折り畳まれたセカンドシートは、前記第１領域部及び前記第２領域部のうちの前記第１領域部のみを含み、前記第１領域部は、山折り線と、谷折り線とをそれぞれ１本ずつ有する、請求項１〜３のいずれか一項に記載の吸収性物品。
【請求項５】
前記折り畳まれたセカンドシートは、前記第１領域部及び前記第２領域部の両方を含み、前記第１領域部及び前記第２領域部の各々は、山折り線と谷折り線をそれぞれ１本ずつ有する、請求項１〜３のいずれか一項に記載の吸収性物品。
【請求項６】
前記折り畳まれたセカンドシートは、伸長された状態における前記第１の面及び前記第２の面のうちのいずれか一方の面に複数の凸部を有し、他方の面は平坦である、請求項１〜５のいずれか一項に記載の吸収性物品。
【請求項７】
前記複数の凸部は、前記第１の面に有する、請求項６に記載の吸収性物品。
【発明の詳細な説明】
【技術分野】
【０００１】
本発明は、着用者へのフィット性及び体液等の液体の吸収性に優れた、軽失禁パッド等の吸収性物品に関する。
【背景技術】
【０００２】
従来より、軽失禁パッド、使い捨ておむつ、生理用ナプキン、パンティーライナー等の吸収性物品として、液透過性のトップシート、液不透過性のバックシート、前記トップシートと前記バックシートとの間に位置する吸収体、並びに前記トップシートと前記吸収体との間に位置するセカンドシートを備えた吸収性物品が知られている。
【０００３】
このようなセカンドシートを備えた吸収性物品として、特許文献１には、両端が長手方向略中心線に向かって折り畳まれているセカンドシートを備えた吸収性物品が開示されている（図５を参照）。この特許文献１の吸収性物品において、前記セカンドシートは、折り畳み線より両端側に、縦方向に弾性伸縮部材が設けられているため、該弾性伸縮部材の収縮に伴ってセカンドシートが吸収体から離間してトップシートを隆起させることができ、その結果、特許文献１の吸収性物品は、良好なフィット感を維持することができるとされている。
【０００４】
また、特許文献２には、液透過性の不織布等からなる弾性部材を、左右両縁部分を下方に折り返して吸収体の肌当接面側に接着した吸収性物品が開示されている（図４を参照）。この特許文献２の吸収性物品においては、前記弾性部材の左右両縁部分が下方に折り返されて、当該弾性部材の左右両縁部分と長手方向中央部の剛性が異なっていることにより、良好なフィット性を維持しつつ、ヨレや漏れを防止することができるとされている。
【先行技術文献】
【特許文献】
【０００５】
【特許文献１】特開２００７−９７７１５号公報
【特許文献２】特開平１１−７０１４１号公報
【発明の概要】
【発明が解決しようとする課題】
【０００６】
特許文献１の吸収性物品は、前記弾性伸縮部材の収縮によってセカンドシートと吸収体が常に離間した状態となるので、着用者から排出された体液を吸収体に迅速に吸収させることができず、体液がトップシートやセカンドシート、前記離間によって形成される空隙部などに残留する虞があった。そして、体液がトップシートやセカンドシート内に残留すると、着用者の肌を濡らし続けて、着用者に湿りを帯びた感覚を与え、違和感や不快感を与えることとなる。
【０００７】
また、特許文献２の吸収性物品は、弾性部材の折り返し部分が左右両縁部のみであるため、前記吸収性物品の中央部を十分に隆起させることができず、特に着用者の動作時において、トップシートが着用者の股間部にフィットした状態を維持し難くなる虞があった。さらに、前記弾性部材の左右両縁部の折り返し部分に挟まれた、前記弾性部材と吸収体との間の領域には、前記弾性部材と吸収体との離間によって広い空隙部が形成されるので、特許文献１の吸収性物品の場合と同様に、体液を迅速に吸収することができず、体液がトップシートやセカンドシート、前記空隙部などに残留する虞があった。
【０００８】
そこで、本発明は、着用者の股間部へのフィット性に優れると共に、着用者から排出された体液を迅速且つ効率的に吸収体に吸収させることのできる吸収性物品を提供することを目的とする。
【課題を解決するための手段】
【０００９】
本発明の吸収性物品は、トップシート及び吸収体の間に位置する折り畳まれたセカンドシートを含む吸収性物品であって、前記折り畳まれたセカンドシートは、伸長された状態において第１の面及び第２の面を有し、且つ、折り畳まれた状態において前記トップシート側に位置し、平面視にて互いに直交する第１方向及び第２方向を有する基準部と、伸長された状態において前記基準部の前記第２方向における各端部からそれぞれ延在する第１領域部及び第２領域部のうちの少なくとも一方とを含み、前記第１領域部及び第２領域部のうちの少なくとも一方の領域部は、伸長された状態のセカンドシートにおいて、前記第１の面を基準としてセカンドシートを山折りするための折線であって、前記第１方向に延びるｐ本（ｐは、１以上の整数である。）の山折り線と、前記第１の面を基準としてセカンドシートを谷折りするための折線であって、前記第１方向に延びるｑ本（ｑは、０以上の整数である。）の谷折り線とを有し、前記ｐ本の山折り線のうちの１本が、前記第１領域部及び前記第２領域部のそれぞれの第２方向における両端部のうちの基準部側の端部に位置し、前記折り畳まれたセカンドシートは、前記基準部と、伸長された状態のセカンドシートの前記第１領域部及び第２領域部のうちの少なくとも一方の領域部において前記山折り線の前記領域部が延在する方向側に隣接する山折り区分領域部の少なくとも１つとが、平面視にて、吸収性物品の長手方向に延びる中央軸線を幅方向に跨って延在すると共に、吸収性物品の幅方向に延びる中央軸線を長手方向に跨って延在するものである。
【００１０】
本発明の吸収性物品においては、セカンドシートが、少なくとも１本の山折り線に沿って１回以上折り畳まれており、且つ、折り畳まれた状態のセカンドシートにおいて、トップシート側に面する基準部と、前記第１の面を基準として山折りされる山折り区分領域部の少なくとも１つとが、平面視にて、吸収性物品の長手方向に延びる中央軸線を幅方向に跨って延在すると共に、吸収性物品の幅方向に延びる中央軸線を長手方向に跨って延在する（すなわち、少なくとも製品中央部に存在する）ため、折り畳まれたセカンドシートの各折り部の弾性作用によってトップシートの着用者の股間部へのフィット状態を維持しつつ、製品中央部においてトップシートと吸収体との間に、前記基準部と、前記山折り区分領域部の少なくとも１つとが介在する（すなわち、少なくとも２枚のセカンドシートが介在する）ことにより、着用者の体重などによる圧力が掛かったときに、前記基準部と前記山折り区分領域部とが接触し、着用者から排出された尿などの体液を前記基準部及び前記山折り区分領域部を介して、迅速且つ効率的に吸収体に吸収させることができる。
【発明の効果】
【００１１】
本発明によれば、着用者の股間部へのフィット性に優れると共に、着用者から排出された体液を迅速且つ効率的に吸収体に吸収させることのできる吸収性物品を提供することができる。本発明の吸収性物品は、着用者の股間部へのフィット性に優れると共に、着用者から排出された体液を迅速且つ効率的に吸収体に吸収させることができるため、着用者の肌と吸収性物品の間の隙間から体液が漏れるのを効果的に防ぐことができると共に、トップシートに残留する体液による湿り感を生じさせず、長時間に亘る快適な着用感を提供することができる。
【図面の簡単な説明】
【００１２】
【図１】図１は、本発明の一実施形態である軽失禁パッドの伸長された状態の平面図である。
【図２】図２は、図１のII−II’線に沿った部分断面図である。
【図３】図３は、図１の軽失禁パッドにおけるセカンドシートの伸長された状態の斜視図である。
【図４】図４は、図３における伸長された状態のセカンドシートの平面図である。
【図５】図５は、図３におけるセカンドシートの折り畳んだ状態の斜視図である。
【図６】図６は、本発明の吸収性物品におけるセカンドシートの概要を示す平面図である。
【図７】図７は、折り畳んだ状態のセカンドシートの別の実施形態の斜視図である。
【図８】図８は、図７のセカンドシートの伸長された状態の平面図である。
【図９】図９は、折り畳んだ状態のセカンドシートの更に別の実施形態の斜視図である。
【図１０】図１０は、図９のセカンドシートの伸長された状態の平面図である。
【図１１】図１１は、折り畳んだ状態のセカンドシートの更に別の実施形態の斜視図である。
【図１２】図１２は、図１１のセカンドシートの伸長された状態の平面図である。
【図１３】図１３は、折り畳んだ状態のセカンドシートの更に別の実施形態の斜視図である。
【図１４】図１４は、図１３のセカンドシートの伸長された状態の平面図である。
【図１５】図１５は、本発明の別の実施形態である軽失禁パッドの伸長された状態の平面図である。
【図１６】図１６は、図１５のXVI−XVI’線に沿った部分断面図である。
【図１７】図１７は、本発明の更に別の実施形態である軽失禁パッドの伸長された状態の平面図である。
【図１８】図１８は、図１７のXVIII−XVIII’線に沿った部分断面図である。
【図１９】図１９は、本発明の更に別の実施形態である軽失禁パッドの伸長された状態の平面図である。
【図２０】図２０は、図１９のXX−XX’線に沿った部分断面図である。
【発明を実施するための形態】
【００１３】
以下、本発明の吸収性物品の好適な実施形態について、図面を参照しながら詳細に説明する。
【００１４】
図１は、本発明の吸収性物品の一実施形態である軽失禁パッドの伸長された状態の平面図であり、図２は、図１のII−II’線に沿った部分断面図である。図１及び図２に示すように、軽失禁パッド１は、平面視にて、長手方向ＤLに延びる長径と幅方向ＤWに延びる短径を有する楕円形の長手方向中央部分が窪んだ、いわゆる瓢箪型の形状を有している。なお、この窪んだ部分は、軽失禁パッド１（吸収性物品）の腿周り部ＰTとして機能する部分である。また、本発明における吸収性物品の形状は、これに限定されず、長手方向ＤLの長さ寸法が幅方向ＤWの幅寸法よりも長い長形状のものであれば、任意の形状（例えば、長方形、楕円形等）とすることができる。
【００１５】
軽失禁パッド１は、着用者の肌面側に位置し、不織布や液透過性プラスチックフィルム等からなる液透過性のトップシート２と、フラッフパルプや不織布等の繊維集合体に高吸収性ポリマーを分散保持させたものなどからなる吸収体４と、前記トップシート２及び前記吸収体４の間に位置し、不織布などの液透過性シートからなる折り畳まれたセカンドシート３と、前記吸収体４のトップシートとは反対側の位置に配置される液不透過性のバックシート５と、を含む各種部材によって構成されている。
【００１６】
本発明の吸収性物品に用いられるセカンドシートについて、図面を参照しながら詳細に説明する。図３は、本発明の一実施形態（図１参照）である軽失禁パッドにおけるセカンドシートの伸長された状態の斜視図であり、図４は、図３における伸長された状態のセカンドシートの平面図である。図３及び図４に示すように、本実施形態において、セカンドシート３は、伸長された状態において第１の面Ｓ1及び第２の面Ｓ2を有する液透過性シートからなり、且つ、折り畳まれた状態においてトップシート２側に位置し、平面視にて互いに直交する第１方向Ｄ1及び第２方向Ｄ2を有する基準部ＳPと、伸長された状態において前記基準部ＳPの前記第２方向Ｄ2における一方の端部から延在する第１領域部Ａ1とを有する。
【００１７】
前記第１領域部Ａ1は、前記セカンドシート３が伸長された状態において、前記第１の面Ｓ1を基準としてセカンドシートを山折りするための折線であって、前記第１方向Ｄ1に延びる１本の山折り線ＬMFを有し、当該山折り線ＬMFは、前記第１領域部Ａ1の第２方向Ｄ2における両端部のうちの基準部ＳP側の端部に位置している。なお、本実施形態においては、前記第１方向Ｄ1＝吸収性物品の長手方向ＤLである。そして、本実施形態におけるセカンドシート３は、図２及び図５に示すように、前記山折り線ＬMFに沿って山折りされて折り畳まれており、前記基準部ＳPと、前記第１領域部Ａ1における前記山折り線ＬMFの前記第１領域部Ａ1が延在する方向側に隣接する山折り区分領域部ＡMFと（本実施形態においては、ＡMF＝Ａ1である。）が、平面視にて、軽失禁パッド１の長手方向ＤLに延びる中央軸線ＣLを幅方向ＤWに跨って延在すると共に、軽失禁パッド１の幅方向ＤWに延びる中央軸線ＣWを長手方向ＤLに跨って延在する（すなわち、少なくとも製品中央部に存在する）ように、前記軽失禁パッド１内に配置されている。
【００１８】
このように折り畳まれたセカンドシート３は、山折りによって形成された山折り部ＰMFの弾性作用、すなわち、折り畳まれたセカンドシート３が伸長された状態に戻ろうとする作用によって前記基準部ＳPが押し上げられて、前記トップシート２を裏面側から押圧することができる。このトップシート２を押圧するように作用する力は、前記折り畳まれたセカンドシート３における山折り部ＰMFの弾性作用のみを利用した力であり、従来の弾性伸縮部材を用いた場合よりも弱い力となるため、着用者の体重などの圧力が掛かっていないときは、折り畳まれた状態のセカンドシート３の前記基準部ＳPと前記山折り区分領域部ＡMFとが離間し、前記圧力が掛かったときは、前記基準部ＳPと前記山折り区分領域部ＡMFとが接触するように前記折り畳まれた状態のセカンドシート３を機能させることができる。その結果、着用者の動作に応じた適度なフィット性を実現することができる。
【００１９】
さらに、前記基準部ＳPと、前記山折り区分領域部ＡMFとが、平面視にて、軽失禁パッド１の製品中央部に存在するように配置されていることで、着用者の体重などの圧力が掛かったときに、折り畳まれた状態のセカンドシート３の前記基準部ＳPと前記山折り区分領域部ＡMFとが接触し、前記製品中央部において、前記セカンドシート３と前記吸収体４との間に大きな空隙部が形成されることがないため、着用者から排出された尿などの体液を前記基準部ＳP及び前記山折り区分領域部ＡMFを介して、迅速且つ効率的に吸収体４に吸収させることができる。
【００２０】
本実施形態において、前記第１方向Ｄ1は、平面視にて軽失禁パッド１（吸収性物品）の長手方向ＤLに一致し、セカンドシート３は、軽失禁パッド１の長手方向ＤLに沿った１回の山折りによって折り畳まれているため、前記長手方向ＤLの両側に位置する腿周り部ＰTから伝わる着用者の腿の動きや股間部の動きに対して、折り畳まれたセカンドシート３が展開し易い状態、すなわち、前記セカンドシート３の前記基準部ＳPと前記山折り区分領域部ＡMFとが離間し易い状態となるので、着用者の動作に応じた適度なフィット性をより実現し易くなる。
【００２１】
また、伸長された状態のセカンドシート３の第２方向Ｄ2における両端部ＥS、Ｅ1は、セカンドシート３が折り畳まれた状態において、吸収性物品の厚さ方向に重ならないことが好ましく、さらに、前記第１領域部Ａ1側の端部Ｅ1が、平面視にて前記基準部ＳPの下方に位置するように（すなわち、平面視にて前記基準部ＳPのみが目視できるように）、前記第１領域部Ａ1の第２方向Ｄ2における長さＬ1が前記基準部ＳPの第２方向Ｄ2における長さＬSよりも短かいことが特に好ましい。セカンドシート３の前記両端部ＥS、Ｅ1が、セカンドシート３が折り畳まれた状態において厚さ方向に重ならない場合は、着用者の動作に伴って吸収性物品に幅方向の圧力が掛かった際に、前記基準部ＳPと前記山折り区分領域部ＡMFとが、互いに離間する方向に凸状に変形し易くなり（特に、前記第２方向Ｄ2における長さの長い方が、より凸状に変形し易くなり）、前記基準部ＳPと前記山折り区分領域部ＡMFとをより離間させ易くすることができ、結果的に良好なフィット性を得ることができる。さらに、前記基準部ＳPの第２方向Ｄ2における長さＬSが前記第１領域部Ａ1の第２方向Ｄ2における長さＬ1よりも長い場合は、前記基準部ＳPが有利に凸状に変形し易くなるので、トップシートを裏面側からより的確に押圧することができ、結果的に優れたフィット性を得ることができる。なお、本明細書において、「伸長された状態のセカンドシート３の第２方向Ｄ2における両端部ＥS、Ｅ1は、セカンドシート３が折り畳まれた状態において、吸収性物品の厚さ方向に重ならない」とは、前記両端部が完全には重ならない状態を指し、例えば、前記両端部がそれぞれ直線状である場合は、それぞれの端部が吸収性物品の厚さ方向において同一直線上に存在しない状態を指す。
【００２２】
本実施形態において、セカンドシート３は、前記第１方向Ｄ1に延びる１本の山折り線ＬMFに沿って山折りされて折り畳まれているが、本発明におけるセカンドシートは、このような形態に限定されない。図６は、本発明の吸収性物品におけるセカンドシートの概要を示す伸長された状態の平面図である。図６に示すように、セカンドシート３は、折り畳まれた状態においてトップシート側に位置し、平面視にて互いに直交する第１方向Ｄ1及び第２方向Ｄ2を有する基準部Ｓpと、伸長された状態において前記基準部Ｓpの前記第２方向Ｄ2における各端部からそれぞれ延在する第１領域部Ａ1及び第２領域部Ａ2のうちの少なくとも一方を含み、前記第１領域部Ａ1及び第２領域部Ａ2のうちの少なくとも一方の領域部は、伸長された状態のセカンドシート３において、第１の面Ｓ1を基準としてセカンドシート３を山折りするための折線であって、前記第１方向Ｄ1に延びるｐ本（ｐは、１以上の整数である。）の山折り線ＬMFと、前記第１の面Ｓ1を基準としてセカンドシート３を谷折りするための折線であって、前記第１方向Ｄ1に延びるｑ本（ｑは、０以上の整数である。）の谷折り線ＬVFとを有し、前記ｐ本の山折り線ＬMFのうちの１本が、前記第１領域部Ａ1及び前記第２領域部Ａ2のそれぞれの第２方向Ｄ2における両端部のうちの基準部ＳP側の端部に位置するように構成されている。
【００２３】
そして、セカンドシート３は、前記基準部ＳPと、前記第１領域部Ａ1及び第２領域部Ａ2のうちの少なくとも一方の領域部において前記山折り線ＬMFの前記領域部が延在する方向側に隣接する山折り区分領域部ＡMFの少なくとも１つとが、それぞれ、平面視にて、吸収性物品の長手方向ＤLに延びる中央軸線ＣLを幅方向ＤWに跨って延在すると共に、吸収性物品の幅方向ＤWに延びる中央軸線ＣWを長手方向ＤLに跨って延在するように（すなわち、少なくとも製品中央部に存在するように）折り畳まれて、吸収性物品のトップシート及び吸収体の間に配置される。なお、図６に示すように、本明細書において、山折り区分領域部ＡMFは、前記第１領域部Ａ1及び前記第２領域部Ａ2において前記山折り線ＬMFの前記第１領域部Ａ1及び前記第２領域部Ａ2が延在する方向側に隣接する領域であって、当該山折り線ＬMFから、次の折線又は折線がない場合はセカンドシートの端部までの領域を意味する。
【００２４】
上述のようにして折り畳まれたセカンドシート３は、山折り及び任意の谷折りによって形成された山折り部ＰMF及び任意の谷折り部ＰVFの弾性作用により前記基準部ＳPが押し上げられて、前記トップシートを裏面側から押圧することができる。このトップシートを押圧する力は、従来の弾性伸縮部材を用いた場合よりも弱い力となるため、着用者の体重などの圧力が掛かっていないときは、前記基準部ＳPと、前記第１領域部及び第２領域部において各折線によって区分される複数の区分領域部とが離間し、前記圧力が掛かったときは、前記基準部ＳPと前記複数の区分領域部とが接触するようにセカンドシート３を機能させることができ、着用者の動作に応じた適度なフィット性を実現することができる。さらに、前記基準部ＳPと、前記山折り区分領域部の少なくとも１つとが、製品中央部に配置されることで、着用者の体重などの圧力が掛かったときに、前記基準部ＳPと前記複数の区分領域部とが接触し、前記製品中央部において、前記セカンドシート３と前記吸収体４との間に大きな空隙部が形成されることがないため、着用者から排出された尿などの体液を前記基準部ＳP及び少なくとも１つの山折り区分領域部ＡMFを介して、迅速且つ効率的に吸収体４に吸収させることができる。
【００２５】
また、本発明におけるセカンドシートは、該セカンドシートの前記第２方向における各端部（すなわち、セカンドシート３が第２領域部Ａ2を有していない場合は、図４などにおける基準部ＳP側の端部ＥSと第１領域部Ａ1側の端部Ｅ1、セカンドシート３が第２領域部Ａ2を有している場合は、図６における第２領域部Ａ2側の端部Ｅ2と第１領域部Ａ1側の端部Ｅ1）、山折り部ＰMF及び谷折り部ＰVFが、いずれも厚さ方向に重ならないように折り畳まれていることが好ましく、さらに、平面視にて前記基準部ＳPのみが見えるように折り畳まれていることが特に好ましい。セカンドシートの前記第２方向における各端部、山折り部ＰMF及び谷折り部ＰVFが厚さ方向に重ならない場合は、着用者の動作に伴って吸収性物品に幅方向の圧力が掛かった際に、前記基準部ＳPと、前記山折り区分領域部ＡMF又は前記谷折り区分領域部ＡVFとが、互いに離間する方向に凸状に変形し易くなり（特に、前記第２方向Ｄ2における長さの長いものが、より凸状に変形し易くなり）、前記基準部ＳPと前記山折り区分領域部ＡMF又は前記谷折り区分領域部ＡVFとをより離間させ易くすることができ、結果的に良好なフィット性を得ることができる。さらに、平面視にて前記基準部ＳPのみが見えるように折り畳まれている場合（すなわち、前記基準部ＳPの第２方向Ｄ2における長さが、前記山折り区分領域部ＡMF又は前記谷折り区分領域部ＡVFの第２方向Ｄ2における長さよりも長い場合）は、前記基準部ＳPが有利に凸状に変形し易くなるので、トップシートを裏面側からより的確に押圧することができ、結果的に優れたフィット性を得ることができる。なお、本明細書において、谷折り区分領域部ＡVFは、前記第１領域部Ａ1及び前記第２領域部Ａ2において前記谷折り線ＬVFの前記第１領域部Ａ1及び前記第２領域部Ａ2が延在する方向側に隣接する領域であって、当該谷折り線ＬVFから、次の折線又は折線がない場合はセカンドシートの端部までの領域を意味する。
【００２６】
以下に、本発明の吸収性物品に用いられるセカンドシートのいくつかの実施形態について、それぞれ図面を参照しながら具体的に説明する。
【００２７】
図７に示す折り畳まれた状態のセカンドシート３は、１本の山折り線ＬMF及び１本の谷折り線ＬVFに沿った１回の山折り及び１回の谷折りによって折り畳まれている。この折り畳まれた状態のセカンドシート３は、図８に示すように、伸長された状態において基準部ＳPと第１領域部Ａ1とを有し、さらに、前記第１領域部Ａ1は、該第１領域部Ａ1の第２方向Ｄ2における基準部ＳP側の端部に位置し且つ前記第１の方向Ｄ1に延びる１本の山折り線ＬMFと、該山折り線ＬMF及び前記第１領域部Ａ1の第２方向Ｄ2における基準部ＳP側とは反対側の端部Ｅ1の間の領域に位置し且つ前記第１の方向Ｄ1に延びる１本の谷折り線ＬVFとを有している。
【００２８】
そして、図７に示す折り畳まれた状態のセカンドシート３は、前記基準部ＳPと、前記山折り線ＬMF及び前記谷折り線ＬVFの間の山折り区分領域部ＡMFと、前記谷折り線ＬVF及び前記端部Ｅ1の間の谷折り区分領域ＡVFとが、平面視にて、吸収性物品の長手方向ＤLに延びる中央軸線ＣLを幅方向ＤWに跨って延在すると共に、吸収性物品の幅方向ＤWに延びる中央軸線ＣWを長手方向ＤLに跨って延在する（すなわち、少なくとも製品中央部に存在する）ように、前記吸収性物品内に配置されている。
【００２９】
この実施形態における折り畳まれた状態のセカンドシート３は、山折り及び谷折りによって形成された山折り部ＰMF及び谷折り部ＰVFの２箇所の位置の弾性作用により、前記基準部ＳPを略垂直方向に安定的に押し上げることができるため、前記トップシートを裏面側から押圧しつつ、適度なフィット性を実現することができる。さらに、前記基準部ＳPと、前記山折り区分領域部ＡMFと、前記谷折り区分領域ＡVFとが、平面視にて、吸収性物品の製品中央部に配置されるので、当該製品中央部において、前記セカンドシート３と前記吸収体４との間に大きな空隙部が形成されず、着用者から排出された尿などの体液を前記基準部ＳP、前記山折り区分領域部ＡMF及び前記谷折り区分領域ＡVFを介して、迅速且つ効率的に吸収体４に吸収させることができる。
【００３０】
図９に示す折り畳まれた状態のセカンドシート３は、２本の山折り線ＬMF1、ＬMF2及び１本の谷折り線ＬVFに沿った、２回の山折り及び１回の谷折りによって折り畳まれている。この折り畳まれた状態のセカンドシート３は、図１０に示すように、伸長された状態において基準部ＳPと第１領域部Ａ1とを有し、さらに、前記第１領域部Ａ1は、該第１領域部Ａ1の第２方向Ｄ2における基準部ＳP側の端部に位置し且つ前記第１の方向Ｄ1に延びる１本の第１山折り線ＬMF1と、該第１山折り線ＬMF1及び前記第１領域部Ａ1の第２方向Ｄ2における基準部ＳP側とは反対側の端部Ｅ1の間の領域において、前記第１領域部Ａ1が延在する方向に向かって順に、前記第１の方向Ｄ1に延びる１本の第２山折り線ＬMF2と、前記第１の方向Ｄ1に延びる１本の谷折り線ＬVFとを有している。
【００３１】
そして、図９に示す折り畳まれた状態のセカンドシート３は、前記基準部ＳPと、前記第２山折り線ＬMF2及び前記端部Ｅ1の間の第２山折り区分領域部ＡMF2とが、平面視にて、吸収性物品の長手方向ＤLに延びる中央軸線ＣLを幅方向ＤWに跨って延在すると共に、吸収性物品の幅方向ＤWに延びる中央軸線ＣWを長手方向ＤLに跨って延在する（すなわち、少なくとも製品中央部に存在する）ように、前記吸収性物品内に配置されている。
【００３２】
この実施形態における折り畳まれた状態のセカンドシート３は、前記２回の山折り及び１回の谷折りによって形成された第１山折り部ＰMF1、第２山折り部ＰMF2及び谷折り部ＰVFの弾性作用により、前記基準部ＳPを上述の実施形態のものよりも比較的強く押し上げることができるため、適度なフィット状態を維持しつつ、前記トップシートを裏面側から比較的強く押圧することができる。さらに、前記基準部ＳPと、前記第２山折り区分領域部ＡMF2とが、平面視にて、吸収性物品の製品中央部に配置されるので、当該製品中央部において、前記セカンドシート３と前記吸収体４との間に大きな空隙部が形成されず、着用者から排出される尿などの体液を前記基準部ＳP及び前記第２山折り区分領域部ＡMF2を介して、迅速に吸収体４に吸収させることができる。
【００３３】
なお、本実施形態における折り畳まれた状態のセカンドシート３は、前記第１山折り線ＬMF1及び前記谷折り線ＬVFの間の第１山折り区分領域部ＡMF1と、前記谷折り線ＬVF及び前記第２山折り線ＬMF2の間の谷折り区分領域ＡVFとは、前記製品中央部に存在するように配置されていないが、これらの領域は前記製品中央部に存在するように配置されていてもよく、このように配置されていると、トップシート２と吸収体４との間に介在するセカンドシート３の枚数が増大するため、着用者から排出された体液を、より迅速且つ効率的に吸収体４に吸収させることができる。
【００３４】
図１１に示す折り畳まれた状態のセカンドシート３は、基準部ＳPを挟む２本の山折り線ＬMF、Ｌ'MF及び２本の谷折り線ＬVF、Ｌ'VFに沿った、２回の山折り及び２回の谷折りによって折り畳まれている。この折り畳まれた状態のセカンドシート３は、図１２に示すように、伸長された状態において基準部ＳPと第１領域部Ａ1と第２領域部Ａ2とを有し、さらに、前記第１領域部Ａ1は、該第１領域部Ａ1の第２方向Ｄ2における基準部ＳP側の端部に位置し且つ前記第１の方向Ｄ1に延びる１本の山折り線ＬMFと、該山折り線ＬMF及び前記第１領域部Ａ1の第２方向Ｄ2における基準部ＳP側とは反対側の端部Ｅ1の間の領域に位置し且つ前記第１の方向Ｄ1に延びる１本の谷折り線ＬVFと有し、前記第２領域部Ａ2は、該第２領域部Ａ2の第２方向Ｄ2における基準部ＳP側の端部に位置し且つ前記第１の方向Ｄ1に延びる１本の山折り線Ｌ'MFと、該山折り線Ｌ'MF及び前記第２領域部Ａ2の第２方向Ｄ2における基準部ＳP側とは反対側の端部Ｅ2の間の領域に位置し且つ前記第１の方向Ｄ1に延びる１本の谷折り線Ｌ'VFとを有している。
【００３５】
そして、図１１に示す折り畳まれた状態のセカンドシート３は、前記基準部ＳPと、前記第１領域Ａ1の山折り線ＬMF及び前記谷折り線ＬVFの間の山折り区分領域部ＡMFとが、平面視にて、吸収性物品の長手方向ＤLに延びる中央軸線ＣLを幅方向ＤWに跨って延在すると共に、吸収性物品の幅方向ＤWに延びる中央軸線ＣWを長手方向ＤLに跨って延在する（すなわち、少なくとも製品中央部に存在する）ように、前記吸収性物品内に配置されている。
【００３６】
この実施形態における折り畳まれた状態のセカンドシート３は、前記２回の山折り及び２回の谷折りによって形成された第１領域Ａ1の山折り部ＰMF、前記第２領域Ａ2の山折り部Ｐ'MF、前記第１領域Ａ1の谷折り部ＰVF及び前記第２領域部Ａ2の谷折り部Ｐ'VFの４箇所の弾性作用により、前記基準部ＳPをより安定して強く押し上げることができると共に、前記弾性作用が４箇所の位置において発生することにより着用者の体重等の圧力の掛かり方に応じて、前記基準部ＳPと各山折り区分領域部とを部分的に離間及び接触させることができるため、より優れたフィット性を実現することができる。さらに、前記基準部ＳPと、前記第１領域部Ａ1の山折り区分領域部ＡMFとが、平面視にて、吸収性物品の製品中央部に配置されているので、当該製品中央部において、前記セカンドシート３と前記吸収体４との間に大きな空隙部が形成されず、着用者から排出された尿などの体液を前記基準部ＳP及び前記第１領域部Ａ1の山折り区分領域部ＡMFを介して、迅速且つ効率的に吸収体４に吸収させることができる。
【００３７】
なお、本実施形態における折り畳まれた状態のセカンドシート３は、第２領域Ａ2の前記山折り線Ｌ'MFと前記谷折り線Ｌ'VFとの間の山折り区分領域部Ａ'MFは、前記製品中央部に存在するように配置されていないが、当該領域が前記製品中央部に存在するように配置されていてもよく（この場合、セカンドシート３は、前記第１領域部Ａ1と前記第２領域部Ａ2とが前記基準部ＳPの下側において折り重なるように折り畳まれるか、前記第１領域部Ａ1の谷折り部ＰVFと前記第２領域部Ａ2の谷折り部Ｐ’VFとが合致するように折り畳まれることになる。）、このように配置されていると、トップシート２と吸収体４との間に介在するセカンドシート３の枚数が増大するため、着用者から排出された体液をより迅速且つ効率的に吸収体４に吸収させることができる。
【００３８】
図１３に示す折り畳まれた状態のセカンドシート３は、２本の山折り線ＬMF1、ＬMF2に沿った、２回の山折りによって折り畳まれている。この折り畳まれた状態のセカンドシート３は、図１４に示すように、伸長された状態において基準部ＳPと第１領域部Ａ1とを有し、さらに、前記第１領域部Ａ1は、該第１領域部Ａ1の第２方向Ｄ2における基準部ＳP側の端部に位置し且つ前記第１の方向Ｄ1に延びる１本の第１山折り線ＬMF1と、該第１山折り線ＬMF1及び前記第１領域部Ａ1の第２方向Ｄ2における基準部ＳP側とは反対側の端部Ｅ1の間の領域に位置し且つ前記第１の方向Ｄ1に延びる１本の第２山折り線ＬMF2とを有している。
【００３９】
そして、図１３に示す折り畳まれた状態のセカンドシート３は、前記基準部ＳPと、前記第１山折り線ＬMF1及び第２山折り区分領域部ＡMF2の間の第１山折り区分領域部ＡMF1と、前記第２山折り線ＬMF2及び前記端部Ｅ1の間の第２山折り区分領域部ＡMF2とが、平面視にて、吸収性物品の長手方向ＤLに延びる中央軸線ＣLを幅方向ＤWに跨って延在すると共に、吸収性物品の幅方向ＤWに延びる中央軸線ＣWを長手方向ＤLに跨って延在する（すなわち、少なくとも製品中央部に存在する）ように、前記吸収性物品内に配置されている。
【００４０】
この実施形態における折り畳まれた状態のセカンドシート３においても、前記２回の山折りによって形成された第１山折り部ＰMF1及び第２山折り部ＰMF2の弾性作用により前記基準部ＳPを押し上げて、適度なフィット状態を維持しつつ、前記トップシートを裏面側から確実に押圧することができる。さらに、前記基準部ＳPと、第１山折り区分領域部ＡMF1と、前記第２山折り区分領域部ＡMF2とが、平面視にて、吸収性物品の製品中央部に配置されるため、着用者から排出された尿などの体液を、前記製品中央部において、前記基準部ＳP、前記第１山折り区分領域部ＡMF1及び前記第２山折り区分領域部ＡMF2を介して、迅速且つ効率的に吸収体４に吸収させることができる。
【００４１】
次に、本発明の吸収性物品におけるセカンドシートの固定形態について、図面を参照しながら具体的に説明する。図１５は、本発明の別の実施形態である軽失禁パッドの伸長された状態の平面図であり、図１６は、図１５のXVI−XVI’線に沿った部分断面図である。
本発明に係る吸収性物品は、図１５に示すように、製品の長手方向ＤLにおいて、体液吸収領域ＴAと体液吸収領域以外の領域ＴB、ＴB’とを有している。ここで、「体液吸収領域」とは、吸収性物品を着用する際に、着用者の体液排泄位置に相当する領域を指し、吸収性物品の種類、具体的には、排尿や排便、経血などの排出される体液の種類、着用者の年齢や性別、着用者との接触領域、吸収体の構成などに応じて、適宜設定される領域である。なお、「体液吸収領域以外の領域」は、上記体液吸収領域以外の領域を指し、当該領域には、着用者から排出された体液を吸収しない領域、及び着用者の体液排泄位置に相当する領域ではないものの、着用者から排出された体液を吸収する領域が含まれる。
【００４２】
本発明において、折り畳まれた状態のセカンドシートは、各折り部の弾性作用を効率よく利用し、且つ、吸収性物品の着用状態に応じた前記基準部と前記山折り区分領域部との離間及び接触の自由度を向上させるために、吸収性物品の少なくとも体液吸収領域ＴAにおいて、折り畳まれた状態のセカンドシートの対向する面同士が接合されていないことが望ましい。このようにして前記基準部と前記山折り区分領域部との離間及び接触の自由度が高く構成されていると、着用者が立ったり、歩いたり或いは座ったりする動作によって吸収性物品に掛かる圧力が変化しても、その圧力の変化に応じて、前記基準部と前記山折り区分領域部とが離間したり、接触したりすることのできる適用範囲が拡大し、更に着用者への良好なフィット性を実現することができる。
【００４３】
また、折り畳まれた状態のセカンドシートは、図１５及び図１６に示すように、軽失禁パッド１（吸収性物品）の体液吸収領域以外の領域ＴB、ＴB’において、折り畳まれた状態のセカンドシート３の対向する面同士が接合された接合部ＰBを有していてもよい。このような接合部を有することで、折り畳まれた状態のセカンドシートの体液吸収領域以外の領域においては、前記基準部と前記山折り区分領域部とが離間しないため、着用者の股間部へフィットさせる必要のない領域については、着用者の動作や着用状態等によって生じる吸収性物品への圧力の変化に拘わらず、着用者から排出された体液を吸収体に円滑に吸収させることができる。
【００４４】
また、体液吸収領域以外の領域において、折り畳まれた状態のセカンドシートの対向する面同士を接合する手段としては、特に制限されず、例えば、ホットメルト等の接着剤、ヒートシール等の熱融着、エンボス等の熱圧着などの任意の接合手段を採用することができる。
【００４５】
図１５及び図１６に示す軽失禁パッド１（吸収性物品）は、接合手段としてホットメルト等の接着剤６を採用した場合の実施形態である。この実施形態においては、接合部ＰBが、折り畳まれた状態のセカンドシートの対向する面の間のみに形成されており、セカンドシートの前記基準部の上を流れる体液の拡散を阻害しないため、着用者から排出された体液を広範囲の領域から円滑に前記吸収体４に吸収させることができる。
【００４６】
図１７は、本発明の更に別の実施形態である軽失禁パッドの伸長された状態の平面図であり、図１８は、図１７のXVIII−XVIII’線に沿った部分断面図である。図１７及び図１８に示す軽失禁パッド１（吸収性物品）は、接合手段としてトップシート２側からのエンボスによる熱圧着部７を形成する手段を採用した場合の実施形態である。この実施形態においては、接合部ＰBが、トップシート２、セカンドシート３及び吸収体４に跨って形成されており、トップシート２、セカンドシート３及び吸収体４が一体化されて強固に固定されるため、着用者から排出された体液をより円滑に吸収体４に吸収させることができる。
【００４７】
次に、本発明において用いられるセカンドシートについて説明する。本発明において用いられるセカンドシートは、吸収性物品の分野において一般的に用いられている不織布などの液透過性シートであれば、特に制限なく用いることができるが、中でも、１〜５デニールの繊維径を有する繊維によって形成された不織布等のシート状繊維構造体が特に好ましく用いられる。このシート状繊維構造体を構成する繊維の繊維径が１デニール未満であると、セカンドシートの剛性が不足して、折り畳まれた状態のセカンドシートが伸長された状態に戻ろうとする作用が弱いため、このようなセカンドシートを吸収性物品内に配置しても所期のフィット性が得られない虞がある。また、前記シート状繊維構造体を構成する繊維の繊維径が５デニールを超えると、セカンドシートの剛性が高くなり過ぎて、着用者に違和感や不快感を与える虞がある。
【００４８】
また、本発明において用いられるセカンドシートは、２層以上のシート状繊維構造体からなる積層構造を有していてもよい。セカンドシートを積層構造とすることで、シート状繊維構造体を構成する繊維の繊維径が１デニール未満などのような場合であっても、セカンドシートとして所定の剛性を確保することができると共に、各層の種類や積層数を変更することによって、セカンドシートの液透過性や剛性（或いは該剛性に伴うフィット性）を簡便に精度よく調節することができる。
【００４９】
セカンドシートに用いられるシート状繊維構造体の坪量は、特に制限されないが、液透過性やシートの剛性等の点から１０〜６０ｇ／ｍ2が好ましく、１５〜４５ｇ／ｍ2が更に好ましい。
【００５０】
図１９は、本発明の更に別の実施形態である軽失禁パッドの伸長された状態の平面図であり、図２０は、図１９のXX−XX’線に沿った部分断面図である。本発明において用いられるセカンドシートは、図１９及び図２０に示すように、第１の面に複数の凸部８がドット状に形成され、第２の面は平坦に形成されている構造のもの（以下、「凸部付きセカンドシート」という。）を用いてもよい。前記凸部８の形状は、特に制限されず、図１９及び図２０に示すような半球状でも、円柱状や角柱状、截頭錘状等の任意の形状とすることができる。また、前記凸部８のドット状パターンは、各凸部が、平面視にて均一（すなわち、各凸部間の距離が一定）であっても、特定の領域に偏在するように（すなわち、特定の領域内の各凸部間の距離が短くなるように）形成されていてもよい。前記凸部付きセカンドシートの製造方法は、特に制限されず、本技術分野において公知の任意の製造方法を採用するすることができ、例えば、特開２０１４−００４４９０号公報に開示されている製造方法などを採用することができる。なお、本明細書において「平坦」とは、凹凸等の特定形状を付与する処理（例えば、エンボス加工や真空成形など）を施していない状態の平面を指し、例えば、不織布等のシート状繊維構造体の表面に、構成繊維に起因する微細な凹凸形状を有していても、上述の特定形状を付与する処理を施していなければ、当該シート状繊維構造体の表面は平坦であるとする。
【００５１】
図１９及び２０に示す軽失禁パッド１（吸収性物品）は、上述の凸部付きセカンドシート３’を用いた実施形態である。本実施形態において前記凸部付きセカンドシート３’は、複数の凸部８を有する第１の面を基準として、製品の長手方向ＤLと一致する方向の第１の方向Ｄ1に延びる１本の山折り線に沿って山折りされて折り畳まれており、その折り畳まれた状態で、トップシート２と吸収体４との間に配置されている。このようにして配置された折り畳まれた状態の前記凸部付きセカンドシート３’は、基準部ＳPのトップシート２に対向する面と、山折り区分領域部ＡMFの吸収体４に対向する面に、それぞれ複数の凸部８が位置している。
【００５２】
前記凸部付きセカンドシート３’がこのように配置されていると、着用者の動作や着用状態等によって製品のトップシート２側から掛かる圧力が、前記凸部付きセカンドシート３’における基準部ＳPの複数の凸部８を介して山折り区分領域部ＡMFの複数の凸部８に伝達され、さらに、該山折り区分領域部ＡMFの各凸部８が、前記吸収体４の表面を局所的に押圧することにより、前記吸収体４の表面に複数の高密度部を形成することができる。そして、吸収体４の表面にこのような高密度部が形成されていると、当該高密度部において、前記トップシート２及び前記凸部付きセカンドシート３’内に残留する体液を積極的に引き込むことができ、また、着用者からの体液の排出速度が速いような場合であっても、前記高密度部以外の部分である低密度部において体液を一時的に貯留することができるため、着用者から排出された体液をより効率よく吸収体４に吸収させることができる。
【００５３】
本発明は、上述した各実施形態の軽失禁パッドのほかに、例えば、パンティーライナー、生理用ナプキン、使い捨ておむつ等の様々な吸収性物品に適用することができる。また、本発明の吸収性物品は、上述した実施形態に制限されることなく、本発明の目的、趣旨を逸脱しない範囲内において、適宜変更が可能である。
【符号の説明】
【００５４】
１    軽失禁パッド
２    トップシート
３    セカンドシート
４    吸収体
５    バックシート
６    接着剤
７    エンボス部
８    凸部
ＳP    基準部
Ａ1    第１領域部
Ａ2    第２領域部
ＡMF    山折り区分領域部
ＬMF    山折り線
ＬVF    谷折り線
ＰMF    山折り部
ＰVF    谷折り部
【要約】
【課題】本発明は、着用者の股間部へのフィット性に優れると共に、体液を迅速且つ効率的に吸収体に吸収させることのできる吸収性物品を提供することを目的とする。
【解決手段】本発明は、折り畳まれたセカンドシートを含む吸収性物品に関し、前記折り畳まれたセカンドシートは、トップシート側に位置する基準部と、前記基準部の各端部からそれぞれ延在する第１領域部及び第２領域部のうちの少なくとも一方の領域部とを含み、前記領域部は、ｐ本（ｐは、１以上の整数である。）の山折り線と、ｑ本（ｑは、０以上の整数である。）の谷折り線とを有し、前記折り畳まれたセカンドシートは、前記基準部と、前記山折り線に隣接する山折り区分領域部の少なくとも１つとが、平面視にて、吸収性物品の長手方向に延びる中央軸線を幅方向に跨って延在すると共に、吸収性物品の幅方向に延びる中央軸線を長手方向に跨って延在する。
【選択図】図２【図１】
0005634631.tif 000002
【図２】
0005634631.tif 000003
【図３】
0005634631.tif 000004
【図４】
0005634631.tif 000005
【図５】
0005634631.tif 000006
【図６】
0005634631.tif 000007
【図７】
0005634631.tif 000008
【図８】
0005634631.tif 000009
【図９】
0005634631.tif 000010
【図１０】
0005634631.tif 000011
【図１１】
0005634631.tif 000012
【図１２】
0005634631.tif 000013
【図１３】
0005634631.tif 000014
【図１４】
0005634631.tif 000015
【図１５】
0005634631.tif 000016
【図１６】
0005634631.tif 000017
【図１７】
0005634631.tif 000018
【図１８】
0005634631.tif 000019
【図１９】
0005634631.tif 000020
【図２０】
0005634631.tif 000021